(57)【要約】【課題】２つ以上の閲覧方法および／または閲覧機器、それぞれに、対応した、静止画像群および／または動画像群および／または文章データ群および／または音声データ群と、からなる、機能の異なるデジタルフォトアルバムプログラム群を容易に作成する。【解決手段】データ蓄積部とユーザインターフェースを備える入力部とデジタルフォトアルバムプログラム作成部とデジタルフォトアルバムプログラム蓄積部とからなるデジタルフォトアルバムプログラム作成装置によって、１つのデジタルフォトアルバムプログラムを作成するため情報を前記入力部から入力する事により、前記デジタルフォトアルバム作成部が、２つ以上の閲覧方法および／または閲覧機器、それぞれに、対応した、静止画像群および／または動画像群および／または文章データ群および／または音声データ群と、からなる、機能の異なるデジタルフォトアルバムプログラム群を一度に作成する。【選択図】  図１
2004166170.tif 000002
【特許請求の範囲】
【請求項１】
データ蓄積部とユーザインターフェースを備える入力部とデジタルフォトアルバムプログラム作成部とデジタルフォトアルバムプログラム蓄積部とからなるデジタルフォトアルバムプログラム作成装置であって、前記データ蓄積部に蓄積された静止画像群および／または動画像群および／または文章データ群および／または音声データ群と、
前記静止画像群および／または前記動両像群および／または前記文章データ群の、表示順および／または配列順と、
前記静止画像群と前記音声データ群の組み合わせ、および／または、前記動画像群と薊記音声データ群の組み合わせ、および／または、前記静止画像群と前記文章データ群の組み合わせ、および／または、前記動画像群と前記文章データ群の組み合わせと、
からなる１つのデジタルフォトアルバムプログラムを作成するため情報を前記入力部から入力する事により、前記デジタルフォトアルバムプログラム作成部が、２つ以上の閲覧機器および／または閲覧方法、それぞれに、対応した、静止画像群および／または動画像群および／または文章データ群および／または音声データ群と、からなる、機能の異なるデジタルフォトアルバムプログラム群を一度に作成し、前記デジタルフォトアルバムプログラム蓄積部に蓄積する事を特徴とするデジタルフォトアルバムプログラム作成装置。
【請求項２】
通信回線を介して端末装置に作成されたデジタルフォトアルバムプログラムを閲覧させる公開サーバを有した請求項１記載のデジタルフォトアルバムプログラム作成装置であって、
作成された機能の異なるデジタルフォトアルバムプログラム群のうち少なくとも１つは前記公開サーバと前記通信回線を介して前記端末装置に自動的に公開される事を特徴とするデジタルフォトアルバムプログラム作成装置。
【請求項３】
記録媒体への記録装置を有した請求項１記載のデジタルフォトアルバムプログラム作成装置であって、作成された機能の異なるデジタルフォトアルバムプログラム群のうち少なくとも１つは前記記録装置により、前記記録媒体へ自動的に記録される事を特徴とするデジタルフォトアルバムプログラム作成装置。
【請求項４】
通信回線を介して端末装置に作成されたデジタルフォトアルバムプログラムを閲覧させる公開サーバと、記録媒体への記録装置と、を有した請求項１記載のデジタルフォトアルバムプログラム作成装置であって、作成された機能の異なるデジタルフォトアルバムプログラム群のうち、
少なくとも、１つは前記公開サーバと通信回線を介して前記端末装置に自動的に公開され、
更に、少なくとも、もう１つは前記記録装置により、前記記録媒体へ自動的に記録される事を特徴とするデジタルフォトアルバムプログラム作成装置。
【請求項５】
集録される静止面像群および／または動画像群および／または文章データ群および／または音声データ群と、
前記静止画像群および／または前記動画像群および／または前記文章データ群の、表示順および／または配列順と、
前記静止画像群と前記音声データ群の組み合わせ、および／または、前記動画像群と前記音声データ群の組み合わせ、および／または、前記静止画像群と前記文章チータ群の組み合わせ、および／または、前記動画像群と文章データ群の組み合わせと、
からなる１つのデジタルフォトアルバムプログラムを作成するため情報から、２つ以上の閲覧機器および／または閲覧方法、それぞれに、対応した、静止画像群および／または動画像群および／または文章データ群および／または音声データ群と、からなる、機能の異なるデジタルフォトアルバムプログラム群を一度に作成する事を特徴とするデジタルフォトアルバムプログラムの作成方法。
【請求項６】
請求項５に記載の作成方法をコンピュータに実行させるためのプログラムを記録した記録媒体。
【請求項７】
２つ以上の閲覧機器、それぞれに、対応した、静止画像群および／または動画像群および／または文章データ群および／または音声データ群からなる、機能の異なる２つ以上のデジタルフォトアルバムプログラム群を記録した１つの記録媒体であって、１つの前記記録媒体で、それぞれのデジタルフォトアルバムプログラムが対応した閲覧機器で自動再生される事を特徴とした２つ以上の前記デジタルフォトアルバムプログラムを記録した記録媒体。
【発明の詳細な説明】
【０００１】
【発明の属する技術分野】
静止画像群および／または動画像群および／または文章データ群および／または音声データ群からなるデジタルフォトアルバムプログラム作成装置、デジタルフォトアルバムプログラム作成方法およびデジタルフォトアルバムプログラム作成プログラムを記録した記録媒体に関する。
【０００２】
【従来の技術】
これまでにも、静止画像データや動画像や文章データや音声データを編集し、通常の写真のアルバムように表示し、音声データによってＢＧＭ（Ｂａｃｋ  Ｇｒｏｕｎｄ  Ｍｕｓｉｃ）を流す事が出来るパソコン用のデジタルフォトアルバムを作成するプログラムは市販されており、パソコンにおいて、前記パソコン用デジタルフォトアルバムを、対応した閲覧用プログラムを用いて鑑賞する事は出来た。
【０００３】
また、パソコンを使って動画像を編集するプログラムも市販されており、前記の動画像編集プログラムを用いる事により、静止画像、動画像、文章データ、音声データを編集する事により、静止画像データ、動画像データ、文章データや音声データからなる１つの動画像データを作成する事ができ、動画像の１つのシーンとして前記静止画像も鑑賞する事の出来る動画像によるデジタルフォトアルバムを作成する事が出来、前記動画像によるデジタルフォトアルバムは、主として、ＤＶＤ−ＲＯＭまたはＣＤ−ＲＯＭで提供され、ＤＶＤプレイヤーで再生することにより、テレビで複数人が同時に鑑賞する事が出来るという利点があった。
【０００４】
また、インターネットなどで公開されるホームページを作成するパソコン用プログラムを使用すれば、静止画像、動画像、文章データや音声データを編集して、インターネット上にホームページとして、通常の写真のアルバムと同じように写真を鑑賞する事の出来るホームページによるデジタルフォトアルバムを作成する事も出来た。
【０００５】
【発明が解決しようとする課題】
しかしながら、写真をアルバムに編集するという事は自分で楽しむ事はもちろん、他者に対して、閲覧をさせる事も大きな楽しみであり、目的である。
【０００６】
これに対して、前記パソコン用デジタルフォトアルバムは専用の閲覧用プログラムを用いなければ鑑賞する事が出来ず、また、前記動画像によるデジタルフォトアルバムはパソコンに専用プログラムを入れるか、或いは、ＤＶＤプレイヤーなどの再生機器がなければ鑑賞する事が出来ないし、同様に、ホームページによるデジタルフォトアルバムはインターネットに接続する機器がなければ鑑賞する事が出来ない。
【０００７】
従って、デジタルフォトアルバムを作成し、他者からの閲覧を希望する場合は、前記他者の所有している閲覧機器を考慮した上で、作成しなくてはならない事になり、さらに、前記パソコン用デジタルフォトアルバムや、前記動画によるデジタルフォトアルバムや、前記ホームページによるデジタルフォトアルバムを作成するためには、それぞれが専門の作成プログラムが必要であり、作成する際には、それぞれの前記専門プログラムの使用方法を習得しなければならないという課題があった。
【０００８】
そこで、本発明では、前記の課題を解決するため、デジタルフォトアルバムプログラムを作成するための簡便なユーザインターフェースを備え、二つ以上の複数の閲覧機器および閲覧方法に、それぞれが、対応した、機能の異なるデジタルフォトアルバムプログラム群を一度に作成することの出来るデジタルフォトアルバムプログラム作成装置とデジタルフォトアルバムプログラム作成方法とデジタルフォトアルバム作成プログラムを記録した記録媒体を提供する。
【０００９】
【課題を解決するための手段】
前記の目的を達成するために、請求項１記載のデジタルフォトアルバムプログラム作成装置は、データ蓄積部と簡便なユーザーインターフェースを備える入力部とデジタルフォトアルバムプログラム作成部とデジタルフォトアルバムプログラム蓄積部とからなるデジタルフォトアルバムプログラム作成装置であって、前記データ蓄積部に蓄積された静止画像群および／または動画像群およぴ／または文章データ群および／または音声データ群と、前記静止画像群および／または前記動画像群および／または前記文章データ群の、表示順および／または配列順と、前記静止画像群と前記音声データ群の組み合わせ、および／または、前記動画像群と前記音声データ群の組み合わせ、および／または、前記静止画像群と前記文章データ群の組み合わせ、および／または、前記動画像群と前記文章データ群の組み合わせと、からなる１つのデジタルフォトアルバムプログラムを作成するため情報を前記入力部から入力する事により、前記デジタルフォトアルバムプログラム作成部が、２つ以上の閲覧機器および／または閲覧方法、それぞれに、対応した、静止画像群および／または動画像群および／または文章データ群および／または音声データ群と、からなる、機能の異なるデジタルフォトアルバムプログラム群を一度に作成し、前記デジタルフォトアルバムプログラム蓄積部に蓄積する事を特徴とするデジタルフォトアルバムプログラム作成装置である。
【００１０】
請求項２記載のデジタルフォトアルバムプログラム作成装置は、通信回線を介して端末装置に作成されたデジタルフォトアルバムプログラムを閲覧させる公開サーバを有した請求項１記載の前記デジタルフォトアルバムプログラム作成装置であって、作成された機能の異なるデジタルフォトアルバムプログラム群のうち少なくとも１つは前記公開サーバと前記通信回線を介して前記端末装置に自動的に公開される事を特徴とするデジタルフォトアルバムプログラム作成装置である。
【００１１】
請求項３記載のデジタルフォトアルバムプログラム作成装置は、記録媒体への記録装置を有した請求項１記載の前記デジタルフォトアルバムプログラム作成装置であって、作成された機能の異なるデジタルフォトアルバムプログラム群のうち少なくとも１つは前記記録装置により、前記記録媒体へ自動的に記録される事を特徴とするデジタルフォトアルパムプログラム作成装置である。
【００１２】
請求項４記載のデジタルフォトアルバムプログラム作成装置は、請求項２および請求項３に記載の前記デジタルフォトアルバムプログラム作成装置の特徴を合わせ持ち、通信回線を介して端末装置に作成されたデジタルフォトアルバムプログラムを閲覧させる公開サーバと、記録媒体への記録装置と、を有した請求項１記載の前記デジタルフォトアルバムプログラム作成装置であって、作成された機能の異なるデジタルフォトアルバムプログラム群のうち、少なくとも、１つは前記公開サーバと通信回線を介して前記端末装置に自動的に公開され、更に、少なくとも、もう１つは前記記録装置により、前記記録媒体へ自動的に記録される事を特徴とするデジタルフォトアルバムプログラム作成装置である。
【００１３】
請求項５記載のデジタルフォトアルバムプログラム作成方法は、集録される静止画像群および／または動画像群および／または文章データ群および／または音声データ群と、前記静止画像群および／または前記動画像群および／または前記文章データ群の、表示順および／または配列順と、前記静止画像群と前記音声データ群の組み合わせ、および／または、前記動画像群と前記音声データ群の組み合わせ、および／または、前記静止画像群と前記文章データ群の組み合わせ、および／または、前記動画像群と文章データ群の組み合わせと、からなる１つのデジタルフォトアルバムプログラムを作成するため情報から、２つ以上の閲覧機器および／または閲覧方法、それぞれに、対応した、静止画像群および／または動画像群および／または文章データ群および／または音声データ群からなる、機能の異なるデジタルフォトアルバムプログラム群を一度に作成する事を特徴とするデジタルフォトアルバムプログラムの作成方法である。
【００１４】
請求項６記載のプログラムを記録した記録媒体は、請求項５に記載の前記デジタルフォトアルバムプログラムの作成方法をコンピュータに実行させるためのプログラムを記録した記録媒体である。
【００１５】
請求項７記載のデジタルフォトアルバムプログラムを記録した記録媒体は、２つ以上の閲覧機器、それぞれに、対応した、静止画像群および／または動画像群および／または文章データ群および／または音声データ群からなる、機能の異なるデジタルフォトアルバムプログラム群を記録した記録媒体であって、１つの前記記録媒体で、それぞれのデジタルフォトアルバムプログラムが対応した閲覧機器で自動再生される事を特徴とした２つ以上の前記デジタルフォトアルバムプログラムを記録した記録媒体である。
【００１６】
【発明の実施の形態】
以下、本発明の一実施の形態について図を用いて説明する。
【００１７】
図１は請求項１乃至請求項４記載のデジタルフォトアルバムプログラム作成装置の一実施形態における装置図である。
【００１８】
入力部（１０）は図３に一例が示される簡便なユーザーインターフェースを持ち、データ蓄積部（３０）に蓄積された静止画像群および／または動画像群および／または文章データ群の表示順および／または配列順、および、前記静止画像群と音声データ群の組み合わせおよび／または前記動画像群と音声データ群の組み合わせおよび／または前記静止画像と前記文章データ群の組み合わせおよび／または前記動画像と前記文章データ群の組み合わせからなるデジタルフォトアルバムの作成情報を前記ユーザーインターフェースから入力するための入力部であり、更に、既存のデジタルフォトアルバム群（４６ｂ）を読み込み再編集などを行なう。
【００１９】
アルバム作成部（２０）は入力部（１０）より入力された１つの前記デジタルフォトアルバム作成情報により、ＨＴＭＬ版ホームページ用フォトアルバム（４１ａ）、Ｆｌａｓｈ版ホームページ用フォトアルバム（４２ａ）、携帯電話版ホームページ用フォトアルバム（４３ａ）、パソコン用フォトアルバム（４４ａ）およびＤＶＤプレイヤー用フォトアルバム（４５ａ）等の機能の異なる複数デジタルフォトアルバムからなるデジタルフォトアルバム群（４６ａ）を一度に作成するためのデジタルフォトアルバムプログラム作成部である。
【００２０】
データ蓄積部（３０）は静止画像データ蓄積領域（３１）、動画像データ蓄積領域（３２）、音声データ蓄積領域（３３）および文章データ蓄積領域（３４）からなるデータ蓄積部である。
【００２１】
静止画像データ蓄積領域（３１）は写真やイラストなどの静止画像データを蓄積するデータ蓄積領域である。
【００２２】
動画像データ蓄積領域（３２）は撮影されたビデオやアニメーションなどの動画像データを蓄積するデータ蓄積領域である。
【００２３】
音声データ蓄積領域（３３）は音楽または人の声によるメッセージなどの音声データを蓄積するデータ蓄積領域である。
【００２４】
文章データ蓄積領域（３４）は歴史的文章や個人の作文、写真につけたいコメントなどを蓄積するデータ蓄積領域である。
【００２５】
フォトアルバム蓄積部（４０）は、アルバム作成部（２０）により作成されたデジタルフォトアルバム群（４６）を蓄積する蓄積部である。
【００２６】
ＨＴＭＬ版ホームページ用フォトアルバム（４１）は入力部（１０）より入力された前記デジタルフォトアルバム作成情報からアルバム作成部（２０）によって作成されたホームページ記述言語であるＨＴＭＬ（Ｈｙｐｅｒ  Ｔｅｘｔ  Ｍａｒｋｕｐ  Ｌａｎｇｕａｇｅ）で記述されたホームページ公開用のデジタルフォトアルバムプログラムであり公開サーバ（５０）によってインターネットに例示される通信回線（６０）を介して通信端末（７１）に公開閲覧されるデジタルフォトアルバムプログラムである。
【００２７】
Ｆｌａｓｈ版ホームページ用フォトアルバム（４２）は入力部（１０）より入力された前記デジタルフォトアルバム作成情報からアルバム作成部（２０）によって作成されたマクロメディア（Ｍａｃｒｏｍｅｄｉａ）社から提供されるホームページ記述言語であるＦｌａｓｈを用いて記述されたホームページ公開用のデジタルフォトアルバムであり公開サーバ（５０）によってインターネットに例示される通信回線（６０）を介して通信端末（７１）に公開閲覧されるＨＴＭＬ版ホームページ用フォトアルバム（４１）よりも通信端末（７１）における写真一枚一枚を閲覧する際の演出機能あるいは写真の印刷出力機能などが優れたデジタルフォトアルバムプログラムである。
【００２８】
携帯電話版ホームページ用フォトアルバム（４３）は、入力部（１０）より入力された前記デジタルフォトアルバム作成情報からアルバム作成部（２０）によって作成された、インターネットに接続可能な携帯電話などの閲覧画面が小さい場合や、印刷、写真の拡大、写真の一覧などの機能が不要な場合に適した、機能を限定したホームページ用デジタルフォトアルバムであり、公開サーバ（５０）によってインターネットに例示される通信回線（６０）を介して通信端末（７１）に公開閲覧されるデジタルフォトアルバムプログラムである。
【００２９】
パソコン用フォトアルバム（４４）は入力部（１０）より入力された前記デジタルフォトアルバム作成情報からアルバム作成部（２０）によって作成されたパソコンで閲覧されるデジタルフォトアルバムプログラムである。
【００３０】
ＤＶＤプレイヤー用フォトアルバム（４５）は入力部（１０）より入力された前記デジタルフォトアルバム作成情報からアルバム作成部（２０）によって作成された写真一枚一枚を自動的に切り替える動画として提供されるＤＶＤプレイヤー用デジタルフォトアルバムプログラムである。
【００３１】
デジタルフォトアルバム群（４６）は入力部（１０）より入力された１つの前記デジタルフォトアルバム作成情報からアルバム作成部（２０）によって、一度に、作成されたＨＴＭＬ版ホームページ用フォトアルバム（４１）、Ｆｌａｓｈ版ホームページ用フォトアルバム（４２）、携帯電話版ホームページ用フォトアルバム（４３）、パソコン用フォトアルバム（４４）およびＤＶＤプレイヤー用フォトアルバム（４５）の機能の異なる複数デジタルフォトアルバムからなるデジタルフォトアルバム群である。
【００３２】
公開サーバ（５０）はフォトアルバム蓄積部（４０）にあるＨＴＭＬ版ホームページ用フォトアルバム（４１）、Ｆｌａｓｈ版ホームページ用フォトアルバム（４２）および携帯電話版ホームページ用フォトアルバム（４３）をインターネットに例示される通信回線（６０）を介して通信端末（７１）に公開閲覧する事を可能にする公開サーバである。
【００３３】
通信回線（６０）はインターネットを一例とし、前記公開サーバ（５０）を介してフォトアルバム蓄積部（４０）にあるＨＴＭＬ版ホームページ用フォトアルバム（４１）、Ｆｌａｓｈ版ホームページ用フォトアルバム（４２）および携帯電話版ホームページ用フォトアルバム（４３）を通信端末（７１）に公開閲覧を可能にするために前記公開サーバ（５０）と通信端末（７１）を接続する通信回線である。
【００３４】
記録媒体出力装置（８０）はフォトアルバム蓄積部（４０）上にあるパソコン用フォトアルバム（４４）やＤＶＤプレイヤー用フォトアルバム（４５）を記録媒体（９０）に記録する記録媒体出力装置である。
【００３５】
記録媒体（９０）はフォトアルバム蓄積部（４０）にあるパソコン用フォトアルバム（４４）およびＤＶＤプレイヤー用フォトアルバム（４５）を記録媒体出力装置（８０）によって記録される記録媒体である。
【００３６】
図２は請求項５および６記載のデジタルフォトアルバムの作成方法の一実施形態におけるデータの流れを表す図であり、１つのデジタルアルバム作成情報（２１０）によってアルバム作成部（２０）から、ＨＴＭＬ版ホームページ用フォトアルバム（４１ａ）、Ｆｌａｓｈ版ホームページ用フォトアルバム（４２ａ）、携帯電話版ホームページ用フォトアルバム（４３ａ）、パソコン用フォトアルバム（４４ａ）およびＤＶＤプレイヤー用フォトアルバム（４５ａ）の機能の異なる複数デジタルフォトアルバム群（４６ａ）が一度に作成される事を図示している。
【００３７】
デジタルフォトアルバム作成情報（２１０）は作成されるデジタルフォトアルバム群（４６ａ）に集録されるデータ蓄積領部（３０）に蓄積された静止画像群（２３１）および／または動画像群（２３２）および／または文章データ群（２３４）および／または音声データ群（２３３）と、静止画像群（２３１）および／または動画像群（２３２）および／または文章データ群（２３４）の表示順および／または配列順と、および、前記静止画像（２３１）と音声データ（２３３）の組み合わせ、および／または、前記動画像（２３２）と音声データ（２３３）の組み合わせ、および／または、前記静止画像（２３１）と文章データ（２３４）の組み合わせ、および／または、前記動画像（２３２）と文章データ（２３４）の組み合わせと、からなるデジタルフォトアルバムの作成に必要な情報である。
【００３８】
静止画像群（２３１）はデジタルフォトアルバム作成情報（２１０）により、デジタルフォトアルバム（４５ａ）を作成するのに、用いられる静止画像データ蓄積部（３１）に蓄積された単数あるいは複数の静止画像データの集まりである。
【００３９】
動画像群（２３２）はデジタルフォトアルバム作成情報（２１０）によりアルバム作成部（２０）からデジタルフォトアルバム（４５ａ）を作成するのに用いられる動画像データ蓄積部（３２）に蓄積された単数あるいは複数の動画像データの集まりである。
【００４０】
音声データ群（２３３）はデジタルフォトアルバム作成情報（２１０）によりアルバム作成部（２０）からデジタルフォトアルバム（４５ａ）を作成するのに用いられる音声データ蓄積部（３３）に蓄積された単数あるいは複数の音声データの集まりである。
【００４１】
文章データ群（２３４）はデジタルフォトアルバム作成情報（２１０）によりアルバム作成部（２０）からデジタルフォトアルバム（４５ａ）を作成するのに用いられる文章データ蓄積部（３４）に蓄積された単数あるいは複数の文章データの集まりである。
【００４２】
図３は請求項７に記載の発明の一実施形態のデータの流れを表している。
【００４３】
パソコン用フォトアルバム（４４ａ）およびＤＶＤプレイヤー用フォトアルバム（４５ａ）が記録媒体出力装置（８０）により、記録媒体（９０）に記録され、１つの記録媒体（９０）をパソコン（３９１）およびＤＶＤプレイヤー（３９２）で、それぞれに対応したパソコン用フォトアルバム（４４ａ）あるいはＤＶＤプレイヤー用フォトアルバム（４５ａ）を閲覧する事が出来、この際にパソコン用フォトアルバム（４４ａ）はパソコン（３９１）で閲覧される際には、パソコン用フォトアルバム（４４ａ）以外の閲覧プログラムのインストールを必要とせず、パソコン用フォトアルバム（４４ａ）が記録された記録媒体（９０）のみで閲覧する事が出来る。
【００４４】
パソコン（３９１）はマイクロソフト社のＭＳ−ＷｉｎｄｏｗｓのＯＳが稼動するコンピュータを一例とするパーソナルコンピュータである。
【００４５】
ＤＶＤプレイヤー（３９２）はＤＶＤ（Ｄｉｇｉｔａｌ  Ｖｅｒｓａｔｉｌｅ  Ｄｉｓｃ）やＣＤ（Ｃｏｍｐａｃｔ  Ｄｉｓｃ）などの記録媒体に記録された動画を再生する事が出来るＤＶＤプレイヤーである。
【００４６】
図４は入力部（１０）が持つユーザーインターフェースの一実施形態である。
【００４７】
図４（ａ）はデジタルフォトアルバムの作成を始める際の画面であり、ユーザはアルバム作成開始ボタン（４１２）を押す事により、新規アルバム作成を開始し、最初の１つの“画像或いはコメント”（４０８）を入力し、画面は図４（ｂ）へと遷移する。
【００４８】
また、図４（ａ）の“フォトアルバム４５ｂ”ボタン（４１０）は、過去に作成されたデジタルフォトアルバムプログラムの一覧でもあり、過去に作成されたデジタルフォトアルバムプログラムを再度呼び出し、再編集を開始するためのボタンである。
【００４９】
図４（ｂ）は新規デジタルフォトアルバムを編集作成するための画面である。
【００５０】
新規アルバムタイトル入力欄（４０１）はデジタルフォトアルバムのタイトルをユーザが入力するための入力欄である。
【００５１】
削除ボタン（４０２）は“画像或いはコメント”（４０８）を削除するためのボタンである。
【００５２】
画像の追加ボタン（４０３）は“画像或いはコメント”（４０８）を追加するためのボタンである。
【００５３】
コメント入力欄（４０４）は“画像或いはコメント”（４０８）にコメントを挿入するためのコメント入力欄である。
【００５４】
新規アルバム作成ボタン（４０５）は入力されたアルバムタイトルや“画像或はコメント”（４０８）の並び順などから、デジタルフォトアルバム群（４６）を新規作成するボタンであり、このボタンを押す事によって、フォトアルバム蓄積部（４０）にデジタルフォトアルバム群（４６）が新規作成される。
【００５５】
ＢＧＭの入力ボタン（４０６）は新規作成されるデジタルフォトアルバムにＢＧＭを挿入するボタンである。
【００５６】
画像後移動ボタン（４０７）は新規デジタルフォトアルバムにおける“画像或いはコメント”（４０８）の順序および／または配列を後に移動するための後移動ボタンである。
【００５７】
“画像或いはコメント”（４０８）はデジタルフォトアルバムに挿入される静止像画像による画面、あるいは、動画像による画面、あるいは、コメントのみの画面が表示され、画像の追加ボタン（４０３）によって追加され、動画像の場合は動画像の最初の画面が表示される。
【００５８】
画像前移動ボタン（４０９）は新規デジタルフォトアルバムにおける画像或いはコメント（４０８）の順序および／または配列を前に移動するための前移動ボタンである。
【００５９】
“フォトアルバム４５ｂ”ボタン（４１０）は以前に作成したデジタルフォトアルバムのアルバムタイトル名のボタンであり、作成されたデジタルフォトアルバム群（４６）を再度呼び出し、再編集を行なうためのボタンである。
【００６０】
音声の追加（４１１）ボタンは作成されたデジタルフォトアルバムにおいて“画像或いはコメント”（４０８）が表示されると同時に流れる音声データを追加するためのボタンである。
【００６１】
アルバム作成開始ボタン（４１２）は新規にデジタルフォトアルバムの作成編集を開始するボタンである。
【００６２】
図５は図４のユーザーインターフェースからデジタルフォトアルバムを作成する際のフローチャートである。
【００６３】
図５（ａ）のステップにおいて、ユーザは図４（ａ）のアルバム作成ボタン（４１２）を押し、アルバムの作成編集を開始する。
【００６４】
図５（ｂ）のステップにおいて、最初の“画像或いはコメント”（４０８）を追加する。
【００６５】
図５（ｃ）のステップにおいて、ユーザは図４（ｂ）の新規アルバムタイトル入力欄（４０１）にアルバムタイトルとなる文字列を入力する。
【００６６】
図５（ｄ）のステップにおいて、ユーザは図４（ｂ）のＢＧＭの入力ボタン（４０６）を押し、アルバム全体のＢＧＭを入力する。
【００６７】
“画像或いはコメント”（４０８）にコメントを挿入したい場合には、図５（ｅ）のステップにおいて、ユーザは図４（ｂ）のコメント入力欄（４０４）に挿入するコメント入力する。
【００６８】
“画像或いはコメント”（４０８）が作成されたデジタルフォトアルバムにおいて表示される際に、同時に、ＢＧＭやメッセージなどの音声を流したい場合には、図５（ｆ）のステップにおいて、ユーザは図４（ｂ）の音声の追加ボタン（４１１）を押し、“画像或いはコメント”（４０８）が表示される際に、同時に流れる音声を追加する。
【００６９】
“画像或いはコメント”（４０８）の作成されたデジタルフォトアルバムにおける表示順および／または配置順を後ろに移動したい場合には、図５（ｇ）のステップにおいて、ユーザは図４（ｂ）の画像後移動ボタン（４０７）を押して“画像或いはコメント”（４０８）の表示順および／または配置順を後ろに移動する。
【００７０】
“画像或いはコメント”（４０８）の作成されたデジタルフォトアルバムにおける表示順および／または配置順を前に移動したい場合には、図５（ｈ）のステップにおいて、ユーザは図４（ｂ）の画像前移動ボタン（４０９）を押して“画像或いはコメント”（４０８）の表示順および／または配置順を前に移動する。
【００７１】
新たな静止画像或いは動画像或いは文章を新規編集作成されているデジタルフォトアルバムに追加したい場合には、図５（ｉ）のステップにおいて、ユーザは図４（ｂ）の画像の追加ボタン（４０３）を押して“画像或いはコメント”（４０８）を追加する。
【００７２】
新規デジタルフォトアルバムの編集を終えた際には、図５（ｊ）のステップにおいて、ユーザは図４（ｂ）の新規アルバム作成ボタン（４０５）を押し、ＨＴＭＬ版ホームページ用フォトアルバム、Ｆｌａｓｈ版ホームページ用フォトアルバム、携帯電話版ホームページ用フォトアルバム、パソコン用フォトアルバムおよびＤＶＤプレイヤー用フォトフォトアルバムからなる新規デジタルフォトアルバム群を作成する。
【００７３】
図６、図７および図８は本発明のデジタルフォトアルバムプログラム作成装置およびデジタルフォトアルバムプログラム作成方法で作成されるデジタルフォトアルバムプログラムの一形態であり、図４のユーザーインターフェースにより図５のフローチャートに従って、前記入力部（１０）より入力された前記デジタルフォト作成情報（２１０）によって、アルバム作成部（２０）によって、一度に作成されたＨＴＭＬ版ホームページ用フォトアルバム（４１）、Ｆｌａｓｈ版ホームページ用フォトアルバム（４２）、携帯電話版ホームページ用フォトアルバム（４３）、パソコン用フォトアルバム（４４）、または、ＤＶＤプレイヤー用フォトフォトアルバム（４５）の一例であり、それぞれ、機能が異なる事を特徴とする。
【００７４】
図６は本発明のデジタルフォトアルバムプログラム作成装置およびデジタルフォトアルバムプログラム作成方法で作成されるデジタルフォトアルバムプログラムの一形態の画面およびユーザーインターフェースであり、ＨＴＭＬ版ホームページ用フォトアルバム（４１）、Ｆｌａｓｈ版ホームページ用フォトアルバム（４２）、または、パソコン用フォトアルバム（４４）の一例である。
【００７５】
図６（ａ）はデジタルフォトアルバムのオープニング画面であり、写真の一覧を行なえる画面であり、写真を選択する事により、図６（ａ）から図６（ｂ）に遷移する。
【００７６】
アルバムタイトル（６０１）は図４（ｂ）の新規アルバムタイトル入力欄（４０１）によって入力された文字列が表示される。
【００７７】
挿入コメント（６０４）は図４（ｂ）のコメント入力欄（４０４）によって、それぞれの“画像或いはコメント”（４０８）に対応して入力された文字列が表示される。
【００７８】
ＢＧＭボタン（６０６）は図４（ｂ）のＢＧＭの入力ボタン（４０６）によって、入力された音声データをＢＧＭとして流すボタンである。
【００７９】
“画像或いはコメント”（６０８）は図４（ｂ）の“画像或いはコメント”（４０８）によって、位置が決められた静止像画像による画面、動画像による画面、あるいは、コメントのみの画面が表示され、動画像の場合は動画像の最初の画面が表示されるし、“画像或いはコメント”（６０８）は写真選択のボタンでもあり、押す事により写真が選択され、図６（ａ）は図６（ｂ）に遷移する。
【００８０】
スライドショーボタン（６２０）は“画像或いはコメント”（６０６）は図４（ｂ）のＢＧＭの入力ボタン（４０６）によって、入力された音声データをＢＧＭとして流しながら、“画像或いはコメント”（６０８）の表示順（６２７）に従って、“画像或いはコメント”（６０８）を切り替えるスライドショーを表示し、図４（ｂ）の音声の追加ボタン（４１１）によって、“画像或いはコメント”（６０８）が表示する際に流す音声が設定されている場合には設定されている音声が流れるスライドショーを開始するボタンである。
【００８１】
図６（ｂ）は１つの“画像或はコメント”（６０８）が選択された場合に図６（ａ）から遷移する画面である。
【００８２】
写真一覧ボタン（６２１）は図６（ａ）の写真一覧を行なう画面に遷移するボタンである。
【００８３】
前ボタン（６２２）は“画像或いはコメント”（６０８）の表示順（６２７）に従って前の表示順の“画像或いはコメント”（６０８）を表示するボタンである。
【００８４】
後ボタン（６２３）“画像或いはコメント”（６０８）の表示順（６２７）に従って後の表示順の“画像或いはコメント”（６０８）を表示するボタンである。
【００８５】
印刷ボタン（６２４）は表示されている“画像或いはコメント”（６０８）をパソコンまたは通信端末に接続されたプリンターによって印刷する。
【００８６】
拡大ボタン（６２５）は表示されている“画像或いはコメント”（６０８）を拡大表示する。
【００８７】
縮小ボタン（６２６）は表示されている“画像或いはコメント”（６０８）を縮小表示する。
【００８８】
表示順（６２７）は“画像或いはコメント”（６０８）の表示順（６２７）を表す。
【００８９】
図７は本発明のデジタルフォトアルバムプログラム作成装置およびデジタルフォトアルバムプログラム作成方法で作成されるデジタルフォトアルバムプログラムの一形態の画面およびユーザーインターフェースであり、インターネットを介してホームページを閲覧する機能を持った携帯電話などの機能の限定された閲覧機器に適したデジタルフォトアルバムの一形態である。
【００９０】
挿入コメント（７０４）は図４（ｂ）のコメント入力欄（４０４）によって入力された文字列が表示される。
【００９１】
“画像或いはコメント”（７０８）は図４（ｂ）の“画像或いはコメント”（４０８）によって、位置が決められた静止像画像による画面、動画像による画面あるいはコメントのみの画面が表示される。
【００９２】
前ボタン（７２２）は“画像或いはコメント”（７０８）の表示順（７２７）に従って、前の表示順の“画像或いはコメント”（７０８）を表示するボタンである。
【００９３】
後ろボタン（７２３）“画像或いはコメント”（７０８）の表示順（７２７）に従って、後の表示順の“画像或いはコメント”（７０８）を表示するボタンである。
【００９４】
表示順（７２７）は“画像或いはコメント”（７０８）の表示順を表す。
【００９５】
図８は本発明のデジタルフォトアルバムプログラム作成装置およびデジタルフォトアルバムプログラム作成方法で作成されるデジタルフォトアルバムの一形態であり、ＤＶＤプレイヤーなどの動画のみの再生機能を持つ、閲覧機器用に提供されるデジタルフォトアルバムであり、動画像として提供されるデジタルフォトアルバムの模式図である。
【００９６】
アルバムタイトル（８０１）は図４（ｂ）の新規アルバムタイトル入力欄（４０１）によって入力された文字列が表示される。
【００９７】
挿入コメント（８０４）は図４（ｂ）のコメント入力欄（４０４）によって入力された文字列が表示される。
【００９８】
“画像或いはコメント”（８０８）は図４（ｂ）の“画像或いはコメント”（４０８）によって、位置が決められた静止像画像による画面あるいは動画像あるいはコメントのみの画面が表示される。
【００９９】
表示順（８２７）は“画像或いはコメント”（８０８）の表示順を表す。
【０１００】
時間経過（８３０）は前記作成された動画における時間経過を表す。
【０１０１】
【発明の効果】
上記したように，本発明によれば、簡便なユーザインターフェースから１つのアルバム作成情報を入力するのみで、二つ以上の複数の閲覧機器および閲覧方法に、それぞれが、対応した、機能の異なるデジタルフォトアルバムプログラム群を一度に作成する事が出来る。
【図面の簡単な説明】
【図１】デジタルフォトアルバムプログラム作成装置の一実施形態の装置図である。
【図２】図１におけるデジタルフォトアルバムプログラム作成時のデータのフローチャートである。
【図３】デジタルフォトアルバムプログラムを記録媒体に記録する際のデータのフローチャートである。
【図４】入力部のユーザインターフェースの一実施形態である。
【図５】図４におけるデジタルフォトアルバムプログラム作成時のフローチャートである。
【図６】デジタルフォトアルバムプログラムの画面およびユーザーインターフェースの一例である。
【図７】機能を限定したデジタルフォトアルバムプログラムの画面およびユーザーインターフェースの一例である。
【図８】動画として作成されるデジタルフォトアルバムプログラムの一例の模式図である。
【符号の説明】
１０は、簡便なユーザーインターフェースを持つ入力部である。
２０は、デジタルフォトアルバムを作成するデジタルフォトアルバムプログラム作成部である。
３０は、データ蓄積部である。
３１は、静止画像データ蓄積領域である。
３２は、動画像データ蓄積する領域である。
３３は、音楽、人の声からなるメッセージなどの音声データ蓄積領域である。
３４は、文章データ蓄積領域である。
４０は、アルバム作成部（２０）により作成されたデジタルフォトアルバムを蓄積するフォトアルバム蓄積部である。
４１は、ＨＴＭＬによって記述されたＨＴＭＬ版ホームページ用デジタルフォトアルバムである。
４２は、Ｆｌａｓｈによって記述されたＦｌａｓｈ版ホームページ用フォトアルバムである。
４３は、インターネットに接続可能な携帯電話用に機能を限定した携帯電話版ホームページ用フォトアルバムである。
４４は、パソコン用フォトアルバムである。
４５は、ＤＶＤプレイヤー用フォトアルバムである。
４６は、複数デジタルフォトアルバムからなるデジタルフォトアルバム群ある。
５０は、デジタルフォトアルバムを公開するための公開サーバである。
６０は、インターネットに例示される通信回線である
７１は、通信回線６０に接続された通信端末である。
８０は記録媒体９０に記録を行なう記録媒体への記録媒体出力装置である。
２３１は、静止画像群である。
２３２は、動画像群である。
２３３は、音声データ群である。
２３４は、文章データ群である。
３９１は、マイクロソフト社のＭＳ−ＷｉｎｄｏｗｓのＯＳが稼動するコンピュータに例示されるパーソナルコンピュータである。
３９２は、ＤＶＤ（Ｄｉｇｉｔａｌ  Ｖｅｒｓａｔｉｌｅ  Ｄｉｓｃ）やＣＤ（Ｃｏｍｐａｃｔ  Ｄｉｓｃ）などの記録媒体に記録された動画を再生する事が出来るＤＶＤプレイヤーである。
４０１は、新規作成するのデジタルフォトアルバムのタイトルを入力するために、ユーザが入力する入力欄である。
４０２は、画像或いはコメント（４０８）を削除するためのボタンである。
４０３は、画像或いはコメント（４０８）を追加するためのボタンである。
４０４は、画像或いはコメント（４０８）を挿入するためのボタンである。
４０５は、入力或いは指定されたアルバムタイトルや画像やコメントの並び順などから、新規デジタルフォトアルバムを新規作成するボタンである。
４０６は、新規作成されるデジタルフォトアルバムにＢＧＭを挿入するボタンである。
４０７は、新規デジタルフォトアルバムにおける画像或いはコメント（４０８）の順序或いは配列を後に移動するための後移動ボタンである。
４０８は、画像或いはコメント（４０８）を表し、画像の追加ボタン（４０３）によって追加される。
４０９は、新規デジタルフォトアルバムにおける画像或いはコメント（４０８）の順序或いは配列を前に移動するための前移動ボタンである。
４１０は、以前に作成されたデジタルフォトアルバムを再度呼び出し、再編集を行なうためのボタンである。
４１１は、新規デジタルフォトアルバムにおいて“画像或いはコメント”（４０８）が表示された際に前記“画像或いはコメント”（４０８）が表示されると同時に流れる音声データを追加するためのボタンである。
４１２は、新規にデジタルフォトアルバムの作成編集を開始するためのボタンである。
６０１は、アルバムタイトルである。
６０４は、挿入されたコメントを表示する。
６０６は、ＢＧＭを流し始めるボタンである。
６０８は、画像或いはコメントが表示される
６２０は、スライドショーの開始ボタンである。
６２１は、写真一覧画面すなわち図７（ａ）を表示するボタンである。
６２２は、表示順の１つ前の写真を表示するボタンである。
６２３は、表示順の１つ後の写真を表示するボタンである。
６２４は、表示されている画像を印刷するボタンである。
６２５は、表示されている画像を拡大表示するボタンである。
６２６は、表示されている画像を縮小表示するボタンである。
６２７は、表示されている写真の表示順を表示している。
７０４は、挿入されたコメントが表示される。
７０８は、画像或いはコメントが表示される。
７２２は、表示順の１つ前の写真を表示するボタンである。
７２３は、表示順の１つ後の写真を表示するボタンである。
７２７は、表示されている写真の表示順を表示している。
８０１は、アルバムタイトルである。
８０４は、挿入されたコメントが表示される。
８０８は、画像或いはコメントが表示される。
８２７は、表示されている写真の表示順が表示される。
８３０は、動画になっている静止画像スライドショーの時間の経過方向を表す。
【図１】
2004166170.tif 000003
【図２】
2004166170.tif 000004
【図３】
2004166170.tif 000005
【図４】
2004166170.tif 000006
【図５】
2004166170.tif 000007
【図６】
2004166170.tif 000008
【図７】
2004166170.tif 000009
【図８】
2004166170.tif 000010